(57)【要約】      （修正有）【課題】２つの台紙にそれぞれ設けたポケットに大きさの異なるものをそれぞれ過不足なく挟むことができるようなファイルを提供する。【解決手段】表紙を含む複数枚の台紙を開閉可能に設けてなり、少なくとも２枚の台紙にポケットがそれぞれ設けられたファイルにおいて、前記２枚の台紙の大きさを互いに異ならせる。さらに２枚の台紙の一方が表表紙であるとともに他方が裏表紙又は中間の台紙であり、前記表表紙の大きさを前記裏表紙又は中間の台紙の大きさよりも小さくする。さらに大きい方の台紙に設けられたポケットが透光性を有する。【選択図】図２
2018176472.tif 000002
【特許請求の範囲】
【請求項１】
表紙を含む複数枚の台紙を開閉可能に設けてなり、少なくとも２枚の台紙にポケットがそれぞれ設けられたファイルであって、
前記２枚の台紙の大きさが互いに異ならせてあるファイル。
【請求項２】
前記２枚の台紙の一方が表表紙であるとともに他方が裏表紙又は中間の台紙であり、前記表表紙の大きさを前記裏表紙又は中間の台紙の大きさよりも小さくしてある請求項１記載のファイル。
【請求項３】
ポケットをそれぞれ有する表表紙、裏表紙及び中間の台紙を備えたものであって、前記表表紙及び裏表紙の少なくとも一方の大きさを前記中間の台紙の大きさよりも小さくしてある請求項１記載のファイル。
【請求項４】
大きい方の台紙に設けられたポケットが透光性を有するものである請求項２又は３記載のファイル。
【請求項５】
小さい方の台紙がＢ５サイズに対応するものであり、大きい方の台紙がＡ４サイズに対応するものである請求項１、２、３又は４記載のファイル。
【請求項６】
相互に寸法が異なる前記台紙のいずれかに設けられた第１のポケットが、上端及び下端の両方が閉じられたものであり、他の台紙に設けられた第２のポケットが、上端が解放され下端が閉じられたものである請求項１、２、３、４又は５記載のファイル。
【発明の詳細な説明】
【技術分野】
【０００１】
本発明は、複数の台紙及びポケットを有するファイルに関する。
【背景技術】
【０００２】
従来より、表表紙と裏表紙とを備えているとともに、これら表表紙及び裏表紙の双方にポケットが設けられたファイルが知られている（例えば、特許文献1を参照）。
【０００３】
このようなファイルにおいては、例えば、表表紙及び裏表紙にそれぞれ設けたポケットの一方にノートを挟み、他方にプリントを挟む使用態様が考えられる。
【０００４】
ところが、一般的にノートはＢ５サイズのものが広く用いられており、その一方でプリントはＡ４サイズのものが多い。そのため、表表紙及び裏表紙がともにＢ５サイズのファイルを用いる場合、プリントは折りたたんで収納する必要が生じる。他方、表表紙及び裏表紙がともにＡ４サイズのファイルを用いる場合、ノートを挟む側のポケットに無駄なスペースが生じる。
【０００５】
このような問題は、Ｂ５サイズのノートとＡ４サイズのプリントとを挟む使用形態に限らず、大きさの異なるプリントを表表紙側及び裏表紙側に振り分けて挟む場合等、大きさの異なるものを表表紙側及び裏表紙側に振り分けて挟むことが想定されるファイルにおいて生じうる。さらに、表表紙と裏表紙との間に中間の台紙を備え、中間の台紙にもポケットが設けられているファイルにおいても同様の問題は生じうる。
【先行技術文献】
【特許文献】
【０００６】
【特許文献１】特許第４２５１７３３号公報
【発明の概要】
【発明が解決しようとする課題】
【０００７】
本発明は以上の点に着目し、２つの台紙にそれぞれ設けたポケットに大きさの異なるものをそれぞれ過不足なく挟むことができるようなファイルを提供することを目的とする。
【課題を解決するための手段】
【０００８】
請求項１記載の発明に係るファイルは、表紙を含む複数枚の台紙を開閉可能に設けてなり、少なくとも２枚の台紙にポケットがそれぞれ設けられたファイルであって、前記２枚の台紙の大きさが互いに異ならせてあるものである。
【０００９】
請求項２記載の発明に係るファイルは、請求項１記載の構成のものにおいて、前記２枚の台紙の一方が表表紙であるとともに他方が裏表紙又は中間の台紙であり、前記表表紙の大きさを前記裏表紙又は中間の台紙の大きさよりも小さくしてある。
【００１０】
請求項３記載の発明に係るファイルは、請求項１記載の構成のものにおいて、ポケットをそれぞれ有する表表紙、裏表紙及び中間の台紙を備えたものであって、前記表表紙及び裏表紙の少なくとも一方の大きさを前記中間の台紙の大きさよりも小さくしてある。
【００１１】
請求項４記載の発明に係るファイルは、請求項２又は３記載の構成のものにおいて、大きい方の台紙に設けられたポケットが透光性を有するものである。
【００１２】
請求項５記載の発明に係るファイルは、請求項１、２、３又は４記載の構成のものにおいて、小さい方の台紙がＢ５サイズに対応するものであり、大きい方の台紙がＡ４サイズに対応するものである。
【００１３】
請求項６記載の発明に係るファイルは、請求項１、２、３、４又は５記載の構成のものにおいて、相互に寸法が異なる前記台紙のいずれかに設けられた第１のポケットが、上端及び下端の両方が閉じられたものであり、他の台紙に設けられた第２のポケットが、上端が解放され下端が閉じられたものである。
【００１４】
なお、上記各請求項に係る発明において、「透光性を有する」とは、ポケットの収納物を外部から視認することができる性質を有するもの全般を意味しており、例えば、収納物であるプリント類に記載された内容を全て外部から解読できるような透明性を有するものだけでなく、収納物の色や形状などを外部から判別できる程度のすりガラス的な半透明性を有するもの、あるいは、不透明なシート素材に網目や窓を形成したものなどが含まれる。
【００１５】
また、本明細書中における「Ｂ５サイズ」とは、ＪＩＳ規格において定められたＢ５サイズ（１８２ｍｍ×２５７ｍｍ）だけでなく、いわゆる「セミＢ５サイズ」と称されるサイズ（１７９ｍｍ×２５２ｍｍ）も含まれる。
【発明の効果】
【００１６】
本発明によれば、２つの台紙にそれぞれ設けたポケットに大きさの異なるものをそれぞれ過不足なく挟むことができるようなファイルを提供することができる。
【図面の簡単な説明】
【００１７】
【図１】本発明の一実施形態に係るファイルを示す斜視図。
【図２】同実施形態に係るファイルを示す正面図。
【図３】図２におけるＡ−Ａ線に沿った端面図。
【図４】図２におけるＢ−Ｂ線に沿った端面図。
【図５】図２におけるＣ−Ｃ線に沿った端面図。
【図６】図３におけるＤ部の拡大図。
【図７】図３におけるＥ部の拡大図。
【図８】図３におけるＦ部の拡大図。
【図９】図４におけるＧ部の拡大図。
【図１０】図４におけるＨ部の拡大図。
【図１１】図２におけるＩ−Ｉ線に沿った端面図。
【図１２】図５におけるＪ部の拡大図。
【図１３】図５におけるＫ部の拡大図。
【図１４】同実施形態に係るファイルを示す分解斜視図。
【図１５】同実施形態に係るファイルの使用態様を示す図。
【図１６】同実施形態に係るファイルの使用態様を示す図。
【図１７】同実施形態に係るファイルの作用説明図。
【図１８】同実施形態に係るファイルの作用説明図。
【図１９】同実施形態に係るファイルの作用説明図。
【図２０】本発明の他の実施態様に係るファイルを示す正面図。
【図２１】本発明の他の実施態様に係るファイルを示す正面図。
【図２２】本発明の他の実施態様に係るファイルを示す正面図。
【発明を実施するための形態】
【００１８】
本発明の一実施形態を、図面を参照しつつ以下に述べる。
【００１９】
本実施形態のファイルＦＬは、図１〜図５、図１４及び図１５に示すように、表紙１、３を含む複数枚の台紙１〜３を開閉可能に設けてなり、少なくとも２枚の台紙１〜３にポケット４〜６がそれぞれ設けられたファイルＦＬであって、前記２枚の台紙の大きさが互いに異ならせてある。すなわち、前記２枚の台紙の一方は表表紙１であるとともに、他方は中間の台紙２であり、前記表表紙１の大きさを前記中間の台紙２の大きさよりも小さくしてある。また、このファイルＦＬは、前記表表紙１、前記中間の台紙２の他に、ポケット６が設けられ前記中間の台紙２と同一の大きさを有する裏表紙３を備えている。そして、前記表表紙１の大きさを、前記中間の台紙２及び前記裏表紙３の大きさよりも小さくしてある。
【００２０】
本実施形態では、小さい方の台紙すなわち表表紙１がＢ５サイズに対応するものであり、大きい方の台紙すなわち中間の台紙２及び裏表紙３がＡ４サイズに対応するものである。具体的に説明すれば、この実施形態では、図２に示すように、表表紙１は、セミＢ５サイズの短辺（１７９ｍｍ）より若干大きな幅寸法ｗ１（例えば１９０ｍｍ）を有する。一方、中間の台紙２及び裏表紙３は、Ａ４サイズの短辺（２１０ｍｍ）より若干大きな幅寸法ｗ２（例えば２３２ｍｍ）を有する。なお、この実施形態では、各台紙、すなわち表表紙１、中間の台紙２及び裏表紙３の高さ寸法ｈ１は共通であり、Ａ４サイズの長辺（２９７ｍｍ）より若干大きな高さ寸法ｈ１（例えば３１２ｍｍ）にそろえてある。前記表表紙１と前記裏表紙３とは、背表紙１０を介して一体に形成されたものである。前記中間の台紙２は、その基端２ｃ近傍を裏表紙３の基端３ｃ近傍に溶着してある。
【００２１】
相互に寸法が異なる前記台紙のいずれか、具体的には表表紙１に設けられた第１のポケット４は、図１、図２、図４、図９〜図１１、図１４及び図１５に示すように、上端４ａ及び下端４ｂの両方が閉じられたものである。一方、他の台紙、すなわち中間の台紙２及び裏表紙３に設けられた第２のポケット５、６は、図１、図２、図５及び図１２〜図１５に示すように、上端５ａ、６ａが解放され下端５ｂ、６ｂが閉じられたものである。
【００２２】
前記第１のポケット４は、図１〜図４、図６、図７、図９〜図１１、図１４及び図１５に示すように、前記表表紙１の内面１ｓに設けられ、一側に差込用の開放端４ｃを有し、その下端４ｂが、当該ポケット４の表面側を折り返して前記表表紙１に止着してなる差込前半部４ｂ１と、前記表表紙１に対面する当該ポケット４の裏面側を前記表表紙１に止着してなる差込後半部４ｂ２とを備えたものである。前記差込前半部４ｂ１は、図１、図２、図４及び図１０に示すように、前記第１のポケット４の端部すなわち下端４ｂ近傍部を表表紙１側に折返した状態でその折返し部分４０のみを前記表表紙１に溶着させたものである。前記差込後半部４ｂ２は、図１、図２、図４及び図１１に示すように、前記第１のポケット４の端部すなわち下端４ｂ近傍部を表表紙１に重ね合わせた状態で溶着させたものである。
【００２３】
また、前記第１のポケット４は、透光性を有するもので、図１〜図４、図６、図７、図９〜図１１、図１４及び図１５に示すように、上端４ａに沿って形成された上端溶着領域４１を前記表表紙１の上端１ａから所定距離だけ離間した位置に溶着し、反開放端４ｄに沿って形成された側端溶着領域４２を前記表表紙１の端縁１ｃに沿った領域に溶着し、下端４ｂを表表紙１の下端１ｂに沿った領域に溶着することにより、前記表表紙１の内面１ｓに添設されている。前記第１のポケット４の反開放端４ｄは、表表紙１の端縁１ｃに合致させてある。なお、図１〜図４、図６、図９〜図１１、図１４及び図１５に示すように、前記第１のポケット４の上端４ａ、反開放端４ｄ及び下端４ｂから内方に一定距離だけ変位した位置に、例えばトムソン型を用いて形成された上型押し線４３、側型押し線４４及び下型押し線４５が連続して形成されている。前記上端溶着領域４１は、上型押し線４３よりも上端４ａ側に変位した位置に設定されており、前記側端溶着領域４２は前記側型押し線４４よりも反開放端側に変位した位置に設定されている。そして、前記差込前半部４ｂ１および前記差込後半部４ｂ２は、前記下型押し線４５の下側に関連させて設けられている。すなわち、差込前半部４ｂ１は、前記下型押し線４５の外側を表表紙１側に折り返すことにより折り返し部分４０を形成し、前述したようにその折り返し部分４０のみを前記表表紙１に溶着したものである。差込後半部４ｂ２は、前記下型押し線４５の外側全域を、前述したように前記表表紙１に重ね合わせて溶着したものである。
【００２４】
さらに、前記第１のポケット４は、セミＢ５サイズのノートの表紙を差し込むことができる寸法に設定されている。この実施形態においては、図２に示すように、前記上型押し線４３から前記下型押し線４５までの寸法ｈ２を、セミＢ５サイズの長辺（２５２ｍｍ）よりもわずかに大きな寸法（例えば２５３ｍｍ）としており、前記側型押し線４４から前記開放端４ｃまでの寸法ｗ３を、セミＢ５サイズの短辺（１７９ｍｍ）よりわずかに小さな寸法（例えば１７５ｍｍ）としている。なお、前記上型押し線４３から上端溶着領域４１までの領域及び前記側型押し線４４から側端溶着領域４２までの領域は、前記第１のポケット４が表表紙１の内面１ｓに密着しているが溶着はされておらず、ノートＮの表紙Ｎ１を無理に進入させることが可能な状態となっている。
【００２５】
この第１のポケット４の開放端４ｃにおける上下両端の近傍部には、切欠４ｘがそれぞれ設けられている。前記開放端４ｃにおける両切欠４ｘ間の部位は、該開放端４ｃにおける上側の切欠４ｘより上方の部位よりも外方側すなわち背表紙１０側に突出している。また、前記折り返し部分４０の端部は、図１、図２及び図１４〜図１６に示すように、当該第１のポケット４の開放端４ｃよりも外方側すなわち背表紙１０側に突出している。
【００２６】
前記第２のポケット５、６は、大きい方の台紙、すなわち前記中間の台紙２及び前記裏表紙３にそれぞれ設けられている。より具体的には、前記第２のポケット５、６は、図１〜図３、図５、図８及び図１２〜図１５に示すように、前記中間の台紙２の表裏両面２ｓ、２ｔ及び前記裏表紙３の内面３ｓにそれぞれ設けられ、前述したように上端５ａ、６ａが解放され下端５ｂ、６ｂが閉じられているとともに、一側に差込用の開放端５ｃ、６ｃを有している。また、前記第２のポケット５、６は、いずれも透光性を有する。
【００２７】
前記中間の台紙２の表裏両面２ｓ、２ｔにそれぞれ設けられた２つの第２のポケット５は、１枚の透光性を有するシートを中央部で折り曲げて前記中間の台紙２の表裏両面２ｓ、２ｔにかぶせることにより形成されたものである。すなわち、これら表裏対をなす第２のポケット５は、図１〜図３、図５、図８及び図１２〜図１５に示すように、その下端５ｂに沿って形成された下端溶着領域５０を前記中間の台紙２の下端２ｂに沿った領域に溶着することにより、前記中間の台紙２の表裏両面２ｓ、２ｔにそれぞれ添接されたもので、その中間の台紙２の先端２ｄで折り返された前記両第２のポケット５の先端部５ｄは、中間の台紙２に溶着されることなく相互に連続させてある。なお、前記第２のポケット５の前記開放端５ｃ及び下端５ｂから内方に一定距離だけ変位した位置に、例えばトムソン型を用いて形成された側型押し線５１及び下型押し線５２がそれぞれ形成されている。前記下端溶着領域５０は前記下型押し線５２よりも下端５ｂ側に変位した位置に設定されている。そして、これらの第２のポケット５の前記開放端５ｃにおける下端近傍部には、それぞれ切欠５ｘが設けられている。
【００２８】
また、前記中間の台紙２における上端２ａと基端２ｃとにより形成される隅部には、図１、図２、図１４及び図１５に示すように、前記第２のポケット５に収納された用紙の角部を保持するための帯状の留め具９が設けられている。
【００２９】
前記裏表紙３に設けられた第２のポケット６は、図３、図５、図８及び図１２〜図１４に示すように、その下端６ｂに沿って形成された下端溶着領域６０を前記裏表紙３の下端３ｂに沿った領域に溶着するとともに、反開放端部６ｄの表面側を折り返して前記裏表紙３にその折り返し部分６ｄ１を溶着することにより、前記裏表紙３に添接されている。この第２のポケットの前記開放端６ｃ、反開放端６ｄ及び下端６ｂから内方にそれぞれ一定距離だけ変位した位置にも、例えばトムソン型を用いて形成された第１の側型押し線６１、第２の側型押し線６２及び下型押し線６３がそれぞれ形成されている。前記下溶着領域６０は前記下型押し線６３よりも下端６ｂ側に変位した位置に設定されている。前記第２の側型押し線６２は、前記折返し部分６ｄ１の折り返し端縁６ｄ２に略重なり合う位置に設定されている。さらに、この第２のポケット６の上端６ａ近傍における裏表紙３の先端３ｄに近接する部位には、この第２のポケット６と前記裏表紙３との間に挟まれた用紙を保持するための折り返し保持片６４を一体に設けている。符号６５は、この第２のポケットの下部に設けられ、カード類を保持させるためのスリットである。符号６６は、前記スリット６５の下方に、例えばトムソン型を用いて形成された型押し線である。そして、この第２のポケット６の開放端６ｃにおける下端近傍部には、切欠６ｘが設けられている。
【００３０】
ここで、図面の表示内容を整理すれば、次のとおりである。すなわち、図１は、本実施形態に係るファイルＦＬを開いた状態の全体斜視図であり、図２は、同正面図である。これらの図においては、前記中間の台紙２を裏表紙３側に開いた状態を示している。図３は、図２におけるＡ−Ａ線に沿った端面図であり、図４は、図２におけるＢ−Ｂ線に沿った端面図であり、図５は、図２におけるＣ−Ｃ線に沿った端面図である。図６は、図３におけるＤ部の拡大図であり、図７は、図３におけるＥ部の拡大図であり、図８は、図３におけるＦ部の拡大図であり、図９は、図４におけるＧ部の拡大図であり、図１０は、図４におけるＨ部の拡大図である。図１１は、図２におけるＩ−Ｉ線に沿った端面図である。図１２は、図５におけるＪ部の拡大図であり、図１３は、図５におけるＫ部の拡大図である。なお、この実施形態における表表紙１及び裏表紙３の厚さ寸法は例えば０．７５ｍｍであり、第１及び第２のポケット４〜６を形成するシートの厚さ寸法は例えば０．３ｍｍであるが、前記図３〜図１３においては、視覚的にわかりやすくするため、厚さ及びシート間の隙間の大きさを誇張して示してある。図１４は、本実施形態に係る前記中間の台紙２を裏表紙３に溶着する前の状態を示す分解斜視図である。図１５は、完成したファイルＦＬにノートＮ及びプリントＰをそれぞれ保持させる前の状態を示す斜視図である。前記ノートＮは、表表紙Ｎ１と裏表紙Ｎ３との間に複数枚の中紙Ｎ２を介在させた通常のものである。図１６は、前記第１のポケット４にノートＮの表表紙Ｎ１を挿入する直前の状態を示すためのもので、前記第１のポケット４の差込前半部４ｂ１の入り口部分を拡大して示す拡大斜視図である。図１７は、差込前半部４ｂ１にノートＮの表表紙Ｎ１が挿入された状態を示す拡大端面図であり、図１０に対応している、図１８は、差込後半部４ｂ２にノートＮの表表紙Ｎ１が挿入された状態を示す拡大端面図であり、図１１に対応している。図１９は、このファイルＦＬを閉じた状態を示す正面図であり、表表紙１の端縁１ｃと中間の台紙２の先端２ｄとの間に中間の台紙２の第２のポケット５の一部が視認可能となっている。
【００３１】
このような構成のファイルＦＬであれば、図２に示すように、表表紙１の大きさをＢ５サイズに対応するものとし、Ａ４サイズに対応する大きさを有するその他の台紙すなわち中間の台紙２及び裏表紙３よりも小さくしているので、それぞれ大きさの異なるもの、例えばセミＢ５サイズのノート及びＡ４サイズのプリントを、それぞれ第１のポケット４及び第２のポケット５に過不足なく挟むことができる。
【００３２】
また、本実施形態では、前述したように小さい方の台紙である表表紙１の端縁１ｃと大きい方の台紙である中間の台紙２の先端２ｄとの間に、中間の台紙２の第２のポケット５の一部が視認可能となっている上に、前記中間の台紙２に設けられた第２のポケット５が透光性を有するものであるので、特に該中間の台紙２の表面２ｓ側の第２のポケット５内に収納したプリントＰ等の収納物の記載内容の一部を視認することも可能である。ここで、本実施形態では、前記第２のポケット５は透明な樹脂製シートを利用して形成しているが、例えば、収納物の色や形状などを外部から判別できる程度のすりガラス的な半透明性を有するシート素材を利用して形成したものや、不透明なシート素材に網目や窓を形成したものであっても、ポケットの収納物を外部から視認することができる性質を有するものであれば同様な効果を得ることができる。
【００３３】
さらに本実施形態では、前記第１のポケット４の上端４ａ及び下端４ｂの両方が閉じられたものであり、前記第２のポケット５、６が、いずれも上端５ａ、６ａが解放され下端５ｂ、６ｂが閉じられたものであるので、第１のポケット４にセミＢ５サイズのノート４の表表紙Ｎ１を保持させつつ第２のポケット５、６にＡ４サイズのプリントＰを収納する態様を好適に実現することができる。
【００３４】
なお、本発明は以上に述べた実施形態に限らない。
【００３５】
例えば、台紙の配置及び組み合わせとして、以下に述べるようなものが考えられる。
【００３６】
第１の態様として、開いた状態の正面図を図２０に示すようなファイルＦＬ２が挙げられる。このものは、表表紙Ａ１と、開いた状態において前記表表紙Ａ１に隣接する裏表紙Ａ３と、前記裏表紙Ａ３の前記表表紙Ａ１と反対側に隣接する中間の台紙Ａ２とを備え、前記表表紙Ａ１に第１のポケットＡ４、前記裏表紙Ａ３及び前記中間の台紙Ａ２に第２のポケットＡ６がそれぞれ設けられている。その上で、前記表表紙Ａ１がＢ５サイズに対応する幅寸法ｗ１を有し、その他の台紙すなわち裏表紙Ａ３及び中間の台紙Ａ２がＡ４サイズに対応する幅寸法ｗ２を有する。なお、このファイルＦＬ２は、まず中間の台紙Ａ２を裏表紙Ａ３に重ね合わせ、次いで表表紙Ａ１を中間の台紙Ａ２及び裏表紙Ａ３に重ね合わせることにより閉じることができるようになっている。
【００３７】
第２の態様として、開いた状態の正面図を図２１に示すようなファイルＦＬ３が挙げられる。このものは、互いに隣接する表表紙Ｂ１及び裏表紙Ｂ３と、表表紙Ｂ１に隣接する第１の中間の台紙Ｂ２Ａと、裏表紙Ｂ３に隣接する第２の中間の台紙Ｂ２Ｂとを備え、前記第１及び第２の中間の台紙Ｂ２Ａ、Ｂ２Ｂに第２のポケットＢ６、前記表表紙Ｂ１及び前記裏表紙Ｂ３に第１のポケットＢ４がそれぞれ設けられている。その上で、前記第１及び第２の中間の台紙Ｂ２Ａ、Ｂ２ＢがＡ４サイズに対応する幅寸法ｗ２を有し、その他の台紙すなわち表表紙Ｂ１及び裏表紙Ｂ３がＢ５サイズに対応する幅寸法ｗ１を有する。なお、このファイルＦＬ３は、まず第１の中間の台紙Ｂ２Ａを表表紙Ｂ１に重ね合わせるとともに第２の中間の台紙Ｂ２Ｂを裏表紙Ｂ３に重ね合わせ、次いで前記第１及び第２の中間の台紙Ｂ２Ａ、Ｂ２Ｂが対向する姿勢となるように、表表紙Ｂ１、前記第１及び第２の中間の台紙Ｂ２Ａ、Ｂ２Ｂ並びに裏表紙Ｂ３を重ね合わせることにより閉じることができるようになっている。
【００３８】
第３の態様として、開いた状態の正面図を図２２に示すようなファイルＦＬ４が挙げられる。このものは、表表紙Ｃ１と、開いた状態において前記表表紙Ｃ１に隣接する中間の台紙Ｃ２と、前記中間の台紙Ｃ２の前記表表紙と反対側に隣接する裏表紙Ｃ３とを備え、前記表表紙Ｃ１及び裏表紙Ｃ３の内面Ｃ１ｓ、Ｃ２ｓＢに第１のポケットＣ４、前記中間の台紙Ｃ２の表裏両面Ｃ２ｓ、Ｃ２ｔに第２のポケットＣ５がそれぞれ設けられている。その上で、前記表表紙Ｃ１及び前記裏表紙Ｃ３がＢ５サイズに対応する幅寸法ｗ１を有し、その他の台紙すなわち中間の台紙Ｃ２がＡ４サイズに対応する幅寸法ｗ２を有する。なお、このファイルＦＬ４は、表表紙Ｃ１の内面Ｃ１ｓと中間の台紙Ｃ２の表面Ｃ２ｓとが対向するとともに、裏表紙Ｃ３の内面Ｃ３ｓと中間の台紙Ｃ２の裏面Ｃ２ｔとが対向する姿勢となるようにこれら表表紙Ｃ１、中間の台紙Ｃ２及び裏表紙Ｃ３を重ね合わせることにより閉じることができるようになっている。
【００３９】
第４の態様として、図示は省略するが、裏表紙がＢ５サイズに対応し、その他の構成は図１〜図１９を参照しつつ前述したファイルと同様の構成を有するファイルが挙げられる。
【００４０】
これらの構成によっても、本発明の最も主要な効果、すなわち、それぞれ大きさの異なるもの、例えばセミＢ５サイズのノート及びＡ４サイズのプリントを、それぞれ第１のポケットＡ４、Ｂ４、Ｃ４及び第２のポケットＡ５、Ｂ５、Ｃ５に過不足なく挟むことができるという効果を得ることができる。
【００４１】
さらに、（セミ）Ｂ５サイズに対応するサイズの台紙とＡ４サイズに対応するサイズの台紙との組み合わせに限らず、異なる２つのサイズの台紙を開閉可能に設けてなるものであっても、本発明の最も主要な効果、すなわち、それぞれ大きさの異なるものを、大きさの異なる台紙にそれぞれ設けたポケットに過不足なく挟むことができるという効果を得ることができる。
【００４２】
加えて、ポケットをそれぞれ有する表表紙、裏表紙及び中間の台紙を備えたものであれば、図１〜図１９を参照しつつ前述した実施形態のような２種類のサイズの組み合わせに限らず、例えば、表表紙をＢ５サイズ、中間の台紙をＡ３サイズ、裏表紙をＡ４サイズにそれぞれ対応させる等、種々のサイズを組み合わせるようにしてもよい。
【００４３】
そして、図１〜図２２を参照しつつ前述した各実施形態では、第１のポケットが、上端及び下端の両方が閉じられたものであり、他の台紙に設けられた第２のポケットが、上端が解放され下端が閉じられたものであるが、上端が解放され下端が閉じられたポケットのみを各台紙に設けたものであっても、本発明の最も主要な効果、すなわち、それぞれ大きさの異なるものを、大きさの異なる台紙にそれぞれ設けたポケットに過不足なく挟むことができるという効果を得ることができる。
【００４４】
その他、本発明の趣旨を損ねない範囲で種々に変更してよい。
【符号の説明】
【００４５】
ＦＬ…ファイル
１…台紙（表表紙）
２…台紙（中間の台紙）
３…台紙（裏表紙）
４…第１のポケット
４ａ…第１のポケットの上端
４ｂ…第１のポケットの下端
５、６…第２のポケット
５ａ、６ａ…第２のポケットの上端
５ｂ、６ｂ…第２のポケットの下端
ｗ１…表表紙の幅寸法
ｗ２…裏表紙及び中間の台紙の幅寸法
【図１】
2018176472.tif 000003
【図２】
2018176472.tif 000004
【図３】
2018176472.tif 000005
【図４】
2018176472.tif 000006
【図５】
2018176472.tif 000007
【図６】
2018176472.tif 000008
【図７】
2018176472.tif 000009
【図８】
2018176472.tif 000010
【図９】
2018176472.tif 000011
【図１０】
2018176472.tif 000012
【図１１】
2018176472.tif 000013
【図１２】
2018176472.tif 000014
【図１３】
2018176472.tif 000015
【図１４】
2018176472.tif 000016
【図１５】
2018176472.tif 000017
【図１６】
2018176472.tif 000018
【図１７】
2018176472.tif 000019
【図１８】
2018176472.tif 000020
【図１９】
2018176472.tif 000021
【図２０】
2018176472.tif 000022
【図２１】
2018176472.tif 000023
【図２２】
2018176472.tif 000024